(57)【要約】【課題】電子黒板を梱包する際に、小形に折り畳むことができるようにすること。【解決手段】電子黒板の筆記面１０のベースとなる折り曲げ可能な背面パネル９０を有する電子黒板であって、毎回反対方向へ奇数回折り曲げることによって折り畳める背面パネル９０を備えた構成とする。【選択図】　図１
2004034493.tif 000002
【特許請求の範囲】
【請求項１】
電子黒板の筆記面のベースとなり且つ、毎回反対方向へ奇数回折り曲げることによって折りたためる背面パネルと、前記背面パネルの両端の各々に回転自在に取り付けられた１対のローラと、前記１対のローラで支持されると共に、複数の筆記面数を有するシート部材と、前記ローラを回転させる巻取り手段駆動部と、前記ローラの回転速度を制御し、前記シート部材を一定速度で送る送り制御手段と、前記パネルに配置され、前記シート部材の画像を読み取る読み取り手段と、読み取られたデータを画像処理する画像処理手段とを備えた事を特徴とする電子黒板。
【請求項２】
前記背面パネルの折り曲げ幅を不均一にする事により、折り曲げた内部に空間を確保することを特徴とする請求項１記載の電子黒板。
【請求項３】
前記背面パネルの両端部以外の該背面パネルの折り曲げ幅を該両端部より短くしたことを特徴とする請求項１記載の電子黒板。
【請求項４】
前記筆記面は、光沢で構成されているとともに、前記筆記面の一部を、無光沢としたことを特徴とする請求項１または２、または３記載の電子黒板。
【請求項５】
前記背面パネルの接合部分の表面に矩形に段差を形成したことを特徴とする請求項１または２または、３記載の電子黒板。
【請求項６】
電子黒板の筆記面のベースとなる背面パネルと、前記背面パネルの両端に取り付けられた１対のローラと、前記１対のローラで支持されると共に、筆記面を有するシート部材と、前記シート部材を前記片方のローラへ巻取る巻取り手段駆動部と前記シート部材を一定速度で送る送り速度制御手段と、前記背面パネルに配置され、シート部材上の情報を読み取る読み取り手段と、読み取られたデータを画像処理する画像処理手段とを備えたことを特徴とする電子黒板。
【請求項７】
前記筆記面の最終面に、無光沢で反射光を抑えたスクリーンを追加したことを特徴とする請求項６記載の電子黒板。
【請求項８】
前記画像処理手段は、前記背面パネルの端部に取り付けられていることを特徴とする請求項６記載の電子黒板。
【請求項９】
電子黒板の筆記面のベースとなりかつ、毎回反対方向へ奇数回折り曲げることによって小さく折りたため、小型になることを実現する背面パネルと、その折り曲げられた背面パネルの両端に取り付けられた１対の巻取り手段と、その１対の巻取り手段間に、複数の表示画面数を有し、且つ、梱包時には筆記面を片方の巻取り手段へ巻取る様に収納することを可能にする筆記面と、合わせてこの筆記面をローラへ巻取る為に使用される巻取り手段駆動部と筆記面を一定速度で送る為に筆記面の送り速度をカウントし、その速度情報を巻取り手段駆動部を通して巻取り手段の回転制御パルスとしてフィードバックさせ巻取り手段の回転速度を制御する機能を持った送り速度制御部によって構成される筆記部分と、背面パネルの巻取り手段そばに配置され、送られていく筆記面に光を照射することによって発生される反射光を読み取る読み取り部分と、読み取られたデータを画像処理する画像処理部分とで構成されることを特徴とする電子黒板。
【請求項１０】
前記背面パネルの折り曲げ幅を不均一にすると共に、折り曲げた内部に空間を確保した構造としたことを特徴とする請求項９記載の電子黒板。
【請求項１１】
前記筆記面の最終面を、無光沢でかつコントラストの高いプロジェクタ等での画像投影に使用されるプレゼンテーション用スクリーンとしたことを特徴とする請求項９または１０記載の電子黒板。
【発明の詳細な説明】
【０００１】
【発明の属する技術分野】
本発明は、筆記シート上に筆記した文字等を記録紙に複写することが出来る電子黒板に関するもので、特に背面パネルを折り畳むことにより、小さく梱包することを実現し、また梱包して簡単に移動させることを実現させるものである。
【０００２】
【従来の技術】
近年、黒板上に筆記した文字等の情報を、光学的に読み取り、電気信号に変換した後、記録紙に複写することができる電子黒板は、会議等において、議事録を取る必要が無く、その場で会議の内容を記録紙に複写して出席者に配布できるため、その利用価値が高まってきている。また、読み取ったデータをパーソナルコンピュータに出力する機能を持ち、かつ黒板に書かれた文字はイレーサによって消去できる機能を持つものも出てきている。
【０００３】
以下、従来の電子黒板について説明する。
【０００４】
筆記シート上に黒板やホワイトボードのように黒板の筆記面に書かれた文字等を電気的に読み取る方法には２種類ある。ここで図６は、従来の電子黒板を一例を示す概観図。図７（ａ）は、従来の電子黒板の一例を示す概観図。図７（ｂ）は、図７（ａ）の電子黒板を示す上面図。図８は（ａ）は従来の電子黒板の一例を示す概観図。図８（ｂ）は図８（ａ）の電子黒板を示す上面図である。図６に示すように黒板筆記面６が固定されており、光源を含んだ読み取り部分５が、矢印Ａ方向及び矢印Ｂ方向に自走して黒板筆記面上６を動き読み取る方式と、もう一つは、図７（ａ）に示すように光源を含んだ読み取り部分３０が固定されていて、その読み取り部３０の上を筆記面１０が移動することによって読み取る方式がある。図６の読み取り部分５が自走する方式は１面の筆記面を提供でき、一方、図７（ａ）、（ｂ）の読み取り部分３０が固定で筆記面１０８が移動する方式は複数枚の筆記面を提供できる。この筆記面が移動する方式の場合、図７（ｂ）に示すように、筆記面自身１０は薄いフィルム状の物質を環状に形成しエンドレスな構造にするのが一般的である。また、より長い環状のフィルムを電子黒板内部で複数回折り返すことによって、２面以上の筆記面を提供することもできる。
【０００５】
図８（ａ）、（ｂ）に筆記面１０が移動する方式の場合の概略構造を示す。図８（ｂ）において、筆記面１０は帯状の薄いフィルム状の材質でできており、両端を環状になる様固定されている。背面パネル部２０は筆記面１０の環状になった内側に位置し、マーカー等で筆記面１０に文字等を書く際に筆圧を受け止める役割を果たす。また、読み取り部３０は本体の裏面に位置し、筆記面１０を移動させることによって画像を読み取っている。図８（ａ）に示すように読み取られた画像データは画像処理部５０へ送られ画像処理され、プリント部６０にて紙に印字される。また、図８（ｂ）に示すように、これらの筆記面１０、背面パネル２０、読み取り部３０は、外装部分４０内に配置されており、黒板ケース５００で周りが覆われている。
【０００６】
ここで、図９（ａ）は従来の電子黒板の一例を示す概観図、図９（ｂ）従来の電子黒板を示す上面図である。電子黒板を収納又は搬送する場合は、図９（ａ）に示すように黒板ケース５００を矢印方向へ引っ張って取り外し、図９（ｂ）に示す筆記面１０を矢印Ａ方向及び矢印Ｂ方向へ折り畳む。
【０００７】
【発明が解決しようとする課題】
しかしながら、一般的に電子黒板はその用途の性格上、通常の電化製品と比較してサイズが大きい為、電子黒板を小形に梱包する為には、図８に示すようにどうしても筆記面にもたらされる筆圧を受け止める背面パネル部２０、及びそれを支え保護する外装４０を分割して収納することが必要となる。この時折り畳まれた背面パネル部２０を結合させた際に背面パネル部２０間の接合部分に微妙な段差が発生し、書き味を損ねる原因となる。
【０００８】
また小形に梱包する為に、薄いフィルム状で環状に形成された筆記面１０についてもその構造上、小形に折畳まれた背面パネル部２０を環状内部に持ったまま折畳む必要がある。筆記面１０は折畳まれて収納されると放置時間と放置環境によって、折り目がついてしまい電子黒板使用時に書き味を大きく損ねることが発生する。ここで、図１０は、電子黒板の筆記面１０を二ツ折りした場合を示す図である。この時、環状な筆記面１０を１回折畳むように収納し、折り目のついた部分を通常電子黒板筆記面として使用しない部分に位置する事で、書き味を損ねることを回避できる。しかしながら更に小形に梱包する際には更に筆記面１０を複数回折り曲げる必要があり、この時発生する折り目を通常電子黒板筆記面として使用しない部分に位置させる事は困難である。
【０００９】
また最近会議等でプレゼンテーションが実施される機会が多く、プロジェクター等で説明内容をスクリーンに投影するニーズが増えている。部屋にスクリーンがある場合はこれを使用するが、スクリーンが無い場合、白いボード面を有する電子黒板等に投影する場合がある。この時、従来の電子黒板はマーカー等で描かれた文字・絵が十分に消去できるようにあらかじめ光沢のある表面にしている。しかしながら、この光沢のある筆記面１０はプロジェクターの光を当てると表面で光が多く反射し、投影画面が見づらいという欠点を持っていた。
【００１０】
本発明は、上記従来の問題点を解決するもので、背面パネルを折り畳むことにより、小さく梱包することを実現し、また梱包して簡単に移動させることのできる電子黒板を提供することを目的としている。
【００１１】
【課題を解決するための手段】
本発明は上記課題を解決するために、電子黒板の筆記面のベースとなり且つ、毎回反対方向へ奇数回折り曲げることによって折りたためる背面パネルと、背面パネルの両端に回転自在に取り付けられた１対のローラと、１対のローラで支持されると共に、複数の筆記面数を有するシート部材と、ローラを回転させる巻取り手段駆動部と、ローラの回転速度を制御し、シート部材を一定速度で送る送り制御手段と、前記パネルに配置され、シート部材に光を照射することによって、発生される反射光を読み取る読み取り手段と、読み取られたデータを画像処理する画像処理手段とを備えたもので、この構成により背面パネルを折り畳むことで、小さく梱包することを実現し、また梱包して簡単に移動させることのできる電子黒板が得られる。
【００１２】
【発明の実施の形態】
本発明の請求項１記載の発明は、電子黒板の筆記面のベースとなり且つ、毎回反対方向へ奇数回折り曲げることによって折りたためる背面パネルと、背面パネルの両端の各々に回転自在に取り付けられた１対のローラと、１対のローラで支持されると共に、複数の筆記面数を有するシート部材と、ローラを回転させる巻取り手段駆動部と、ローラの回転速度を制御し、シート部材を一定速度で送る送り制御手段と、パネルに配置され、シート部材の画像を読み取る読み取り手段と、読み取られたデータを画像処理する画像処理手段とを備えた電子黒板であり、背面パネルを毎回反対方向へ奇数回折り曲げることにより背面パネル同士の間に空間を設けることなく折り畳むことができるとともに、背面パネルを折り畳んだ際の同じ側に背面パネルの両端を位置させることで端部を梱包する際の端部の梱包処理を片側だけで行うことができるため小型に折り畳むことが可能となり、梱包の小型化、搬送の容易化が実現できる。
【００１３】
本発明の請求項２記載の発明は、請求項１記載の発明において、背面パネルの折り曲げ幅を不均一にし、折り曲げた内部に空間を確保した構造にする事により、他の梱包部材を空間部分に収納することが可能となり収納形態の小型化が可能になる。
【００１４】
本発明の請求項３記載の発明は、請求項１の発明において、背面パネルの両端部以外の該背面パネルの折り曲げ幅を該両端部より短くし、且つ背面パネルの折り曲げ幅を不均一にする事により、折り曲げた内部に空間を確保するこができ収納形態の小型化が可能となる。
【００１５】
本発明の請求項４記載の発明は、請求項１〜３の何れか一項に記載の発明において、筆記面が光沢で構成されていると共に、筆記面の一部を、無光沢としたことで無光沢部分をプレゼンテーション用のスクリーンとして使用することができる。
【００１６】
本発明の請求項５記載の発明は、請求項１〜３の何れか一項に記載の発明において、背面パネルの接合部分の表面に矩形に段差を形成したことにより背面パネル全開時の筆記面における段差を解消できる。
【００１７】
本発明の請求項６記載の発明は、電子黒板の筆記面のベースとなる背面パネルと、背面パネルの両端に取り付けられた１対のローラと、１対のローラで支持されると共に、筆記面を有するシート部材と、シート部材を片方のローラへ巻取る巻取り手段駆動部とシート部材を一定速度で送る送り速度制御手段と、背面パネルに配置され、シート部材上の情報を読み取る読み取り手段と、読み取られたデータを画像処理する画像処理手段とを備えた電子黒板であって、筆記面を有するシート部材を片方のローラへ巻取ることによって、収納時における筆記面の折り目を回避できる。
【００１８】
本発明の請求項７記載の発明は、請求項６記載の発明において、筆記面の最終面に無光沢で反射光を抑えたスクリーンを追加したことにより、読み取り部で読み取り不可能な筆記面の最終面に筆記面が残らないようにすると共に、この読み取り不可能な面をスクリーンとして有効利用することができる。
【００１９】
本発明の請求項８記載の発明は、請求項６記載の発明において背面パネルの裏面端部に読み取り手段を設けて筆記面上の画像情報をシート部材の巻取り直前に読み取ることにより、読み取り時における無駄な空白おしり部分のシート部材を発生させることを防止でき、筆記可能なシート部分をより多く提供できる。
【００２０】
本発明の請求項９記載の発明は、電子黒板の筆記面のベースとなりかつ、毎回反対方向へ奇数回折り曲げることによって小さく折りたため、小型になることを実現する背面パネルと、その折り曲げられた背面パネルの両端に取り付けられた１対の巻取り手段と、その１対の巻取り手段間に、複数の表示画面数を有し、且つ、梱包時には筆記面を片方の巻取り手段へ巻取る様に収納することを可能にする筆記面と、合わせてこの筆記面をローラへ巻取る為に使用される巻取り手段駆動部と筆記面を一定速度で送る為に筆記面の送り速度をカウントし、その速度情報を巻取り手段駆動部を通して巻取り手段の回転制御パルスとしてフィードバックさせ巻取り手段の回転速度を制御する機能を持った送り速度制御部によって構成される筆記部分と、背面パネルの巻取り手段そばに配置され、送られていく筆記面に光を照射することによって発生される反射光を読み取る読み取り部分と、読み取られたデータを画像処理する画像処理部分とを有する電子黒板であって、背面パネルを毎回反対方向へ奇数回折り曲げることにより、小型に折り畳むことが可能となり、梱包の小型化、搬送の容易化が実現できる。
【００２１】
本発明の請求項１０記載の発明は、請求項９記載の発明において、背面パネルの折り曲げ幅を不均一にすると共に、折り曲げた内部に空間を確保した構造とすることで、他の梱包部材を空間部分に収納することが可能となり、梱包の小型化搬送の容易化が実現できる。
【００２２】
本発明の請求項１１記載の発明は、請求項９又は１０に記載の発明において、筆記面の最終面を、無光沢でかつコントラストの高いプロジェクタ等での画像投影に使用されるプレゼンテーション用スクリーンとしたことで、読み取り部で読み取り不可能な筆記面の最終面に筆記面が残らないようにすると共に、この読み取り不可能な面をスクリーンとして有効利用することができる。
【００２３】
以下、本発明の実施の形態について、図１から図５を用いて説明する。なお、これらの図面において同一の部材には同一の符号を付しており、また重複した説明は省略されている。
【００２４】
図１は本発明の第１の実施の形態である電子黒板のボード面を示す斜視図、図２は図１の電子黒板における筆記面のボード面の収納形態を示す上面図、図３は背面パネル部９０を全開した際のパネル接続部１００を示す上面拡大図、図４（ａ）は実施の形態、図４（ｂ）は実施の形態、図５は本発明の第２の実施の形態を示す電子黒板の説明図である。
【００２５】
図１において背面パネル部９０は、４つの背面パネル部９０Ａ，９０Ｂ，９０Ｃ，９０Ｄに分割され、この４つの背面パネル部９０Ａ，９０Ｂ，９０Ｃ，９０Ｄには、この４つの背面パネル部９０Ａ，９０Ｂ，９０Ｃ，９０Ｄを接続する接続部品としての背面パネル接続部１００，１０１，１０２が取り付けられ背面パネル接続部１００、背面パネル接続部１０１、背面パネル接続部１０２の部分で折り畳むよう構成されている。そして、背面パネル部９０Ａの端から背面パネル接続部１００までの長さと背面パネル接続部１００から背面パネル接続部１０１までの長さは不均一に、つまり背面パネル部９０Ａと背面パネル部９０Ｂ及び背面パネル部９０Ｃと背面パネル部９０Ｄの長さは不均一に設定されている。
【００２６】
また、背面パネル部９０を背面パネル接続部１００，１０１，１０２で背面パネル部９０Ａ，９０Ｂ，９０Ｃ，９０Ｄを折り畳んだ際に発生する内部の空間１１Ｆ（図２参照）に上下の外装部２００，２０１とその他の部品２０２を梱包時に収納することが出来る。その収納形態を図２に示す。
【００２７】
図２において、背面パネル接続部１００，１０１，１０２で背面パネル部９０Ａ，９０Ｂ，９０Ｃ，９０Ｄを折り畳むことで、背面パネルの両端部以外の背面パネルの折り曲げ幅をその両端部より短くしたことにより、内部空間１１Ｆができる。
【００２８】
その内部空間１１Ｆの中に、上下外装部２００、２０１及びその他の部材を収納する。これにより、効率的に背面パネル部９０とその他の部材を小スペースに収納することができる。また、収納形態については、この形に限られるものではなく、その都度、梱包条件に応じて変えることが可能である。また不均一に分割された背面パネル部９０はそれぞれヒンジ等の背面パネル接続部１００、１０１、１０２て互い違いに結合されており、組み立て及び収納が簡単に実施できる構造になっている。
【００２９】
しかしながら、図１に示すように背面パネル接続部１０１はヒンジ等を筆記面側に取りつけている為、背面パネルを広げた際、背面パネル１０１接続部間の隙間は発生しにくいが、背面パネル接続部１００と背面パネル接続部１０２については、ヒンジ等を筆記面以外の位置に取り付けている為、どうしても背面パネル接続部１００と１０２の接続部間では隙間が発生する。図３は背面パネル部９０を全開した際のパネル接続部１００を示す上面拡大図である。図３に示すように、例えば背面パネル部９０Ａと背面パネル部９０Ｂの２つの背面パネル接続部１００をヒンジ等の留め具１０５Ｃを用いて鉤型に組合せる。そして、設置時に背面パネル部９０Ａと背面パネル部９０Ｂとの接合部１０６Ｄ上の筆記面に段差が発生しないように接合部表面に段差を設けることにより、背面パネル接続部間に生じる隙間を解消できる。具体的には、接合部表面を矩形に段差を形成することで、筆記面１０上の段差の発生を防ぐことが出来る。また図１における外装部２２０１はその長さが図１の背面パネル９０の短辺より短く設定されており、収納時に降り畳まれた背面パネル部９０の内部空間部１１Ｆに入るようになっている。
【００３０】
また、図４（ａ）に示すように画像読み取り手段４００は、背面パネル９０を背面パネル９０の端部に設けている。これにより、図４（ｂ）に示すように筆記面１０上の画像情報を巻取る直前に読み取る事で、筆記面１０の読み取り時に、読み取り直後から筆記面１０の筆記した部分が画像読み取り手段４００の所を通過するため無駄な巻取りをなくすと共に無駄な巻取りにより生じる筆記面１０の空白送り部分を可能な限りなくすことができ、筆記面１０を無駄無く有効に使用できる。
【００３１】
次に筆記面１０の巻取り機構について説明する。図５において、背面パネル部９０（図示せず）の両端に筆記面１０を巻取るための１対の巻取り手段である第１の巻取り手段３００と第２の巻取り手段３０１が固定されている。使用者に複数面を提供することのできる程度の長さを持った筆記面１０の右端は第２の巻取り手段３０１に一辺を固定されており、この第２の巻取り手段３０１は巻取り内部のコイルバネ等によって、常時この筆記面１０に筆記面張力３０４を与え続けることができるように設計されている。
【００３２】
梱包時はこの筆記面張力３０４によって全ての筆記面１０が第２の巻取り手段３０１に巻取られた状態で保存される。また電子黒板設置時には、この筆記面１０の左端を第２の巻取り手段３０１より引き出し、第１の巻取り手段３００に固定して設置する。使用時は第１の巻取り手段３００に接続されている巻取り手段駆動部３０２によって発生される回転力は第１の巻取り手段３００に伝達され、筆記面巻取り力３０５となって筆記面１０を巻取る。この時巻取り手段駆動部３０２によって発生される回転力は筆記面張力３０４よりも大きな力を発生する様に設定する。同時に常時筆記面１０にもたらされている筆記面張力３０４によって使用時の筆記面１０への張りを実現している。また、第１の巻取り手段３００に巻取られた筆記面１０を戻す場合は、巻取り手段駆動部３０２によって発生される回転力を筆記面張力３０４よりも小さく設定することによって、筆記面１０は筆記面張力３０４によりゆっくりと第２の巻取り手段３０１へ戻すことができる。
【００３３】
次に読み取り動作時について説明する。図１の読み取り部４００は、筆記面１０上に書かれた文字等を読取り、且つ本発明での読み取り部の位置を示している。従来の環状の筆記面１０の場合は筆記面１０のほぼ中央裏側に読み取り部が位置していたが、本発明の巻取り方式の場合は、背面パネル部９０の端部に位置しており、図５における第１の巻取り手段３００に巻取られる直前の筆記面１０を読み取る。図５の送り速度制御部３０３は筆記面１０の移動量３０６をリアルタイムで監視し、第１の巻取り手段３００の回転数を制御する役割を果たす。赤外線もしくはメカ的な手段で筆記面の移動量３０６を電気信号３０７に変換し、この電気信号３０７は送り速度制御部３０３へ送られる。送り速度制御部３０３は所定の移動量３０６より多いか少ないかを内部で判断し、巻取り手段駆動部３０２へ発生させる回転用のパルス数を移動量３０６に応じて増減させる。この様な動作を常時繰り返すことによって筆記面１０の移動速度を一定にし、画面全体を均一に読み取ることを実現する。また、読み取り後の巻き戻し時にもこの送り速度制御部３０３は同様に動作し、筆記面巻取り力３０５をリアルタイムで増減させ、筆記面１０が第２の巻取り手段３０１へ均一に巻取られることを可能にすることによって、筆記面１０の第２の巻取り手段３０１に対する巻き戻しムラを防止し、筆記面１０の保存変形を防止する。
【００３４】
次に本発明における第２の実施の形態について説明する。筆記面１０は通常、マーカーのような筆記具で文字を書いたり、イレーサーで消去したりして使用される。この時、使用後の文字が十分にイレーサーで消去できるように筆記面１０は光沢のある表面を持った材質が採用される。この光沢のある筆記面１０にプロジェクター等で再生された画面を投影した場合プロジェクター等の光源が筆記面１０で反射してしまい画面が光る。よって、本発明は巻取り方式の筆記面１０にプロジェクター等を使用して投影する際に使用する表面が無光沢で反射光を押さえるスクリーンを追加するものである。また、本発明における巻取り方式の筆記面１０の第１の巻取り手段３００により巻取られながら送り出される筆記面１０の最終面にプロジェクター等を使用して投影して使するスクリーンを追加してもよい。
【００３５】
これにより、読み取り部４００を第１の巻取り手段３００の近くに配置した場合、筆記面１０の最終面が使用される時は第２の巻取り手段３０１には筆記面１０が残っていない為、筆記面１０の最終面を第１の巻取り手段３００へ巻取り、読み取り部４００で読み取ることは出来ない。よって、筆記面１０の最終面に、無光沢で反射光を抑えるスクリーンを追加することで上記問題は同時に解決される。
【００３６】
【発明の効果】
以上のように、本発明によれば電子黒板の筆記面のベースとなり且つ、毎回反対方向へ奇数回折り曲げることによって折りたためる背面パネルと、前記背面パネルの両端の各々に回転自在に取り付けられた１対のローラと、前記１対のローラで支持されると共に、複数の筆記面数を有するシート部材と、前記ローラを回転させる巻取り手段駆動部と、前記ローラの回転速度を制御し、前記シート部材を一定速度で送る送り制御手段と、前記パネルに配置され、前記シート部材の画像を読み取る読み取り手段と、読み取られたデータを画像処理する画像処理手段とを備えた事を特徴とする電子黒板であって、筆記面のベースとなる背面パネルを毎回反対方向へ奇数回折り曲げることにより小型に折り畳むことが可能になるという効果が得られる。
【図面の簡単な説明】
【図１】本発明の第１の実施の形態である電子黒板のボード面を示す斜視図
【図２】図１の電子黒板における筆記面のボード面の収納形態を示す上面図
【図３】背面パネル部を全開した際のパネル接続部を示す上面拡大図
【図４】（ａ）本発明の第１の実施の形態における画像読み取り手段の取り付け位置を示す背面図
（ｂ）本発明の第１の実施の形態における画像読み取り手段の取り付け位置を示す上面図
【図５】本発明の第２の実施の形態を示す電子黒板の説明図
【図６】従来の電子黒板の一例を示す概観図
【図７】（ａ）従来の電子黒板の一例を示す概観図
（ｂ）従来の電子黒板の一例を示す上面図
【図８】（ａ）従来の電子黒板の一例を示す概観図
（ｂ）従来の電子黒板の一例を示す上面図
【図９】（ａ）従来の電子黒板の一例を示す概観図
（ｂ）従来の電子黒板の筆記面を折りたたみ方法を示す図
【図１０】電子黒板の筆記面折り曲げの二つ折りを示す図
【符号の説明】
１０　筆記面
２０　背面パネル
３０　読み取り部
４０　外装部分
５０　画像処理部
６０　プリント部
９０　背面パネル部
９０Ａ　背面パネル部
９０Ｂ　背面パネル部
９０Ｃ　背面パネル部
９０Ｄ　背面パネル部
１００　背面パネル接続部
１０１　背面パネル接続部
１０２　背面パネル接続部
１０５Ｃ　ヒンジ部
１０６Ｄ　背面パネル接合部
２００　外装部
２０１　外装部
２０２　その他の外装部
３００　第１の巻取り手段
３０１　第２の巻取り手段
３０２　巻取り手段駆動部
３０３　送り速度制御部
３０４　筆記面張力
３０５　筆記面巻取り力
３０６　筆記面の移動量
３０７　移動量を示す電気信号
４００　読み取り部
５００　黒板ケース
【図１】
2004034493.tif 000003
【図２】
2004034493.tif 000004
【図３】
2004034493.tif 000005
【図４】
2004034493.tif 000006
【図５】
2004034493.tif 000007
【図６】
2004034493.tif 000008
【図７】
2004034493.tif 000009
【図８】
2004034493.tif 000010
【図９】
2004034493.tif 000011
【図１０】
2004034493.tif 000012